(57)【要約】【課題】電池モジュールや負荷装置の不正使用を防止しつつ、使い勝手を向上させる。【解決手段】始動受け付け部１２で負荷１ａの始動指示を受け付けた場合に、負荷装置１に装着された電池モジュール２の記憶部２６から第１識別ＩＤを読み出し、負荷装置１に実装された電子制御装置１ａの記憶部１６から第２識別ＩＤを読み出し、該第１および第２識別ＩＤを比較する。第１および第２識別ＩＤが一致した場合、または記憶部２６に第１識別ＩＤが記憶されていない場合に、電池２２の電力を負荷１ｂに対して供給し、第１および第２識別ＩＤが一致しなかった場合に、電池２２の電力を負荷１ｂに対して遮断する。第１および第２識別ＩＤが一致した場合および一致しなかった場合、ならびに記憶部２６に第１識別ＩＤが記憶されていない場合に応じて、表示部１５の表示態様１５ａ、１５ｂ、１５ｃを変化させる。【選択図】図１
2014082135.tif 000002
【特許請求の範囲】
【請求項１】
電池を有し、負荷装置に対して着脱自在な電池モジュールと、前記負荷装置に実装され、前記負荷装置が有する負荷に対して前記電池の電力供給を制御する電子制御装置と、から構成された電池電力制御システムであって、
前記電池モジュールに設けられ、第１識別情報を記憶する第１記憶部と、
前記電子制御装置に設けられ、第２識別情報を記憶する第２記憶部と、
前記第１記憶部に記憶された第１識別情報を読み出す第１読み出し部と、
前記第２記憶部に記憶された第２識別情報を読み出す第２読み出し部と、
前記第１読み出し部と前記第２読み出し部がそれぞれ読み出した前記第１および第２識別情報を比較する比較部と、
前記電池の電力を前記負荷に対して供給または遮断するように切り替わる電力切り替え部と、
複数の報知態様で報知を行う報知手段と、を備え、
前記電力切り替え部は、
前記比較部での比較の結果、前記第１および第２識別情報が一致した場合、または前記第１記憶部に前記第１識別情報が記憶されていない場合に、前記電池の電力を前記負荷に対して供給するように切り替わり、
前記比較部での比較の結果、前記第１および第２識別情報が一致しなかった場合に、前記電池の電力を前記負荷に対して遮断するように切り替わり、
前記報知手段は、
前記比較部での比較の結果、前記第１および第２識別情報が一致した場合および一致しなかった場合、ならびに前記第１記憶部に前記第１識別情報が記憶されていない場合に応じて、前記報知態様を変化させる、ことを特徴とする電池電力制御システム。
【請求項２】
請求項１に記載の電池電力制御システムにおいて、
識別情報の登録指示を受け付ける登録受け付け部と、
パスワードを入力するパスワード入力部と、
前記登録受け付け部で前記登録指示を受け付け、かつ、前記パスワード入力部でパスワードが入力された場合に、前記第２記憶部に記憶された前記第２識別情報を前記第１記憶部に書き込む書き込み部と、をさらに備えた、ことを特徴とする電池電力制御システム。
【請求項３】
請求項２に記載の電池電力制御システムにおいて、
前記電池モジュールに設けられ、パスワードを記憶する第３の記憶部をさらに備え、
前記書き込み部は、
前記登録受け付け部で前記登録指示を受け付け、かつ、前記パスワード入力部でパスワードが入力された場合において、
前記第１記憶部に前記第１識別情報が未だ記憶されていなければ、前記第２記憶部に記憶された前記第２識別情報を前記第１記憶部に書き込み、かつ、入力された前記パスワードを前記第３記憶部に書き込み、
前記第１記憶部に前記第１識別情報が既に記憶され、かつ、入力された前記パスワードと前記第３記憶部に記憶されたパスワードが一致すれば、前記第２記憶部に記憶された前記第２識別情報を前記第１記憶部に追加で書き込む、ことを特徴とする電池電力制御システム。
【請求項４】
請求項１ないし請求項３のいずれかに記載の電池電力制御システムにおいて、
前記報知手段は、前記電池モジュールの安全性または前記電池の使用認否を報知する、ことを特徴とする電池電力制御システム。
【請求項５】
負荷を有する負荷装置に実装され、前記負荷装置に対して着脱自在な電池モジュールが有する電池の電力の前記負荷への供給を制御する電子制御装置であって、
前記電池モジュールが有する第１記憶部に記憶された第１識別情報を読み出す第１読み出し部と、
第２識別情報を記憶する第２記憶部と、
前記第２記憶部に記憶された第２識別情報を読み出す第２読み出し部と、
前記第１読み出し部と前記第２読み出し部がそれぞれ読み出した前記第１および第２識別情報を比較する比較部と、
前記電池の電力を前記負荷に対して供給または遮断するように制御する電力制御部と、
複数の報知態様で報知を行う報知手段と、を備え、
前記電力制御部は、
前記比較部での比較の結果、前記第１および第２識別情報が一致した場合、または前記第１記憶部に前記第１識別情報が記憶されていない場合に、前記電池の電力を前記負荷に対して供給し、
前記比較部での比較の結果、前記第１および第２識別情報が一致しなかった場合に、前記電池の電力を前記負荷に対して遮断し、
前記報知手段は、
前記比較部での比較の結果、前記第１および第２識別情報が一致した場合および一致しなかった場合、ならびに前記第１記憶部に前記第１識別情報が記憶されていない場合に応じて、前記報知態様を変化させる、ことを特徴とする電子制御装置。
【請求項６】
請求項５に記載の電子制御装置において、
識別情報の登録指示を受け付ける登録受け付け部と、
パスワードを入力するパスワード入力部と、をさらに備え、
前記登録受け付け部で前記登録指示を受け付け、かつ、前記パスワード入力部でパスワードが入力された場合に、前記第２記憶部に記憶された前記第２識別情報を、前記電池モジュールに送信して、前記第１記憶部に書き込ませる、ことを特徴とする電子制御装置。
【請求項７】
負荷を有する負荷装置に対して着脱自在で、前記負荷に電力を供給する電池を有する電池モジュールであって、
第１識別情報を記憶する第１記憶部と、
前記第１記憶部に記憶された第１識別情報を読み出す第１読み出し部と、
前記負荷装置に実装された電子制御装置が有する第２記憶部に記憶された第２識別情報を読み出す第２読み出し部と、
前記第１読み出し部と前記第２読み出し部がそれぞれ読み出した前記第１および第２識別情報を比較する比較部と、
前記電池の電力を前記負荷に対して供給または遮断するように切り替わる電力切り替え部と、
前記比較部での比較結果に応じた複数の報知態様を制御する報知制御部と、を備え、
前記電力切り替え部は、
前記比較部での比較の結果、前記第１および第２識別情報が一致した場合、または前記第１記憶部に第１識別情報が記憶されていない場合に、前記電池の電力を前記負荷に対して供給するように切り替わり、
前記比較部での比較の結果、前記第１および第２識別情報が一致しなかった場合に、前記電池の電力を前記負荷に対して遮断するように切り替わり、
前記報知制御部は、
前記比較部での比較の結果、前記第１および第２識別情報が一致した場合および一致しなかった場合、ならびに前記第１記憶部に第１識別情報が記憶されていない場合に応じて、前記報知態様を変化させる、ことを特徴とする電池モジュール。
【請求項８】
請求項７に記載の電池モジュールにおいて、
前記負荷装置からパスワードとともに、前記第２記憶部に記憶された第２識別情報を受信した場合に、該識別情報を前記第１記憶部に書き込む書き込み部を備えた、ことを特徴とする電池モジュール。
【請求項９】
請求項８に記載の電池モジュールにおいて、
パスワードを記憶する第３の記憶部をさらに備え、
前記書き込み部は、
前記負荷装置からパスワードとともに、前記第２記憶部に記憶された第２識別情報を受信した場合において、
前記第１記憶部に第１識別情報が未だ記憶されていなければ、受信した前記第２識別情報を前記第１記憶部に書き込み、かつ受信した前記パスワードを前記第３記憶部に書き込み、
前記第１記憶部に第１識別情報が既に記憶され、かつ、受信した前記パスワードと前記第３記憶部に記憶されたパスワードが一致すれば、受信した前記第２識別情報を前記第１記憶部に追加で書き込む、ことを特徴とする電池モジュール。
【発明の詳細な説明】
【技術分野】
【０００１】
本発明は、負荷装置に対して着脱自在な電池モジュールと、負荷装置に実装された電子制御装置と、これらから構成された電池電力制御システムとに関する。
【背景技術】
【０００２】
たとえば、電気自動二輪車などの負荷装置には、電池を有する電池モジュールが接続されている。電池モジュールは、負荷装置に対して着脱自在であって、充電器により充電される。負荷装置に備わる走行モータなどの負荷は、電池モジュールの電池の電力を消費する。負荷装置には、負荷に対する電池の電力供給を制御する電子制御装置が実装されている。
【０００３】
電池モジュールが負荷装置から取り外されて、盗難された場合に、その後の電池モジュールの不正使用を防止する技術が、特許文献１および特許文献２に開示されている。
【０００４】
特許文献１では、二次電池と二次電池使用機器に個別識別符号を付している。また、充電装置に、充電回路と、個別識別符号認識回路と、充電制御回路とを備えている。個別識別符号認識回路は、二次電池または二次電池使用機器から個別識別符号を検出する。充電制御回路は、個別識別符号認識回路で検出した個別識別符号と、予め記憶された充電可能な二次電池の個別識別符号とを比較する。そして、両個別識別符号が一致した場合、充電回路を充電状態に切り替え、両個別識別符号が一致しなかった場合、充電回路を充電停止状態に切り替える。
【０００５】
特許文献２では、管理センタの情報データベースに、車両特定情報とバッテリ特定情報とを関連付けて記憶している。そして、車両においてバッテリを充電する際に、充電装置または車両から、車両特定情報およびバッテリ特定情報を管理センタに送信する。管理センタは、受信した車両特定情報とバッテリ特定情報とが、情報データベースに記憶している関係と一致しない場合、充電禁止信号を送信して、バッテリの充電を禁止する。
【０００６】
特許文献１および特許文献２のように、電池モジュールと負荷装置にそれぞれ識別情報を付しておくと、たとえば、両者の識別情報が一致する場合にのみ、電池から負荷に電力を供給できる。このため、盗難された電池モジュールや負荷装置の不正使用が防止される。
【先行技術文献】
【特許文献】
【０００７】
【特許文献１】特開２００３−２５７４９７号公報
【特許文献２】特開２０１２−２７５９４号公報
【発明の概要】
【発明が解決しようとする課題】
【０００８】
しかし、上記従来の電池電力制御システムでは、電池モジュールや負荷装置を複数所有して、任意の組み合わせで使用することができなくなる。たとえば、電池モジュールを複数所有し、負荷装置で電池モジュールの電池電力を消費する度に、電池モジュールを交換することができなくなる。また、１つの電池モジュールを複数の負荷装置で使い回すこともできなくなる。
【０００９】
本発明の課題は、電池モジュールや負荷装置の不正使用を防止しつつ、使い勝手を向上させることである。
【課題を解決するための手段】
【００１０】
本発明に係る電池電力制御システムは、電池を有し、負荷装置に対して着脱自在な電池モジュールと、負荷装置に実装され、負荷装置が有する負荷に対して電池の電力供給を制御する電子制御装置と、から構成された電池電力制御システムであって、電池モジュールに設けられ、第１識別情報を記憶する第１記憶部と、電子制御装置に設けられ、第２識別情報を記憶する第２記憶部と、第１記憶部に記憶された第１識別情報を読み出す第１読み出し部と、第２記憶部に記憶された第２識別情報を読み出す第２読み出し部と、第１読み出し部と第２読み出し部がそれぞれ読み出した第１および第２識別情報を比較する比較部と、電池の電力を負荷に対して供給または遮断するように切り替わる電力切り替え部と、複数の報知態様で報知を行う報知手段と、を備える。電力切り替え部は、比較部での比較の結果、第１および第２識別情報が一致した場合、または第１記憶部に第１識別情報が記憶されていない場合に、電池の電力を負荷に対して供給するように切り替わり、比較部での比較の結果、第１および第２識別情報が一致しなかった場合に、電池の電力を負荷に対して遮断するように切り替わる。報知手段は、比較部での比較の結果、第１および第２識別情報が一致した場合および一致しなかった場合、ならびに第１記憶部に第１識別情報が記憶されていない場合に応じて、報知態様を変化させる。
【００１１】
また、本発明に係る電子制御装置は、負荷を有する負荷装置に実装され、負荷装置に対して着脱自在な電池モジュールが有する電池の電力の負荷への供給を制御する電子制御装置であって、電池モジュールが有する第１記憶部に記憶された第１識別情報を読み出す第１読み出し部と、第２識別情報を記憶する第２記憶部と、第２記憶部に記憶された第２識別情報を読み出す第２読み出し部と、第１読み出し部と第２読み出し部がそれぞれ読み出した第１および第２識別情報を比較する比較部と、電池の電力を負荷に対して供給または遮断するように制御する電力制御部と、複数の報知態様で報知を行う報知手段と、を備える。電力制御部は、比較部での比較の結果、第１および第２識別情報が一致した場合、または第１記憶部に第１識別情報が記憶されていない場合に、電池の電力を負荷に対して供給し、比較部での比較の結果、第１および第２識別情報が一致しなかった場合に、電池の電力を負荷に対して遮断する。報知手段は、比較部での比較の結果、第１および第２識別情報が一致した場合および一致しなかった場合、ならびに第１記憶部に第１識別情報が記憶されていない場合に応じて、報知態様を変化させる。
【００１２】
また、本発明に係る電池モジュールは、負荷を有する負荷装置に対して着脱自在で、負荷に電力を供給する電池を有する電池モジュールであって、第１識別情報を記憶する第１記憶部と、第１記憶部に記憶された第１識別情報を読み出す第１読み出し部と、負荷装置に実装された電子制御装置が有する第２記憶部に記憶された第２識別情報を読み出す第２読み出し部と、第１読み出し部と第２読み出し部がそれぞれ読み出した第１および第２識別情報を比較する比較部と、電池の電力を負荷に対して供給または遮断するように切り替わる電力切り替え部と、比較部での比較結果に応じた複数の報知態様を制御する報知制御部と、を備える。電力切り替え部は、比較部での比較の結果、第１および第２識別情報が一致した場合、または第１記憶部に第１識別情報が記憶されていない場合に、電池の電力を負荷に対して供給するように切り替わり、比較部での比較の結果、第１および第２識別情報が一致しなかった場合に、電池の電力を負荷に対して遮断するように切り替わる。報知制御部は、比較部での比較の結果、第１および第２識別情報が一致した場合および一致しなかった場合、ならびに第１記憶部に第１識別情報が記憶されていない場合に応じて、報知態様を変化させる。
【００１３】
上記によると、電池モジュールを負荷装置に装着して、負荷を始動する際に、負荷装置に実装された電子制御装置と電池モジュールのそれぞれに記憶された第１および第２識別情報が比較される。この比較の結果、第１および第２識別情報が一致した場合に、電池の電力が負荷に対して供給され、第１および第２識別情報が一致しなかった場合に、電池の電力が負荷に対して遮断される。このため、たとえば盗難されて、一致しない識別情報がそれぞれ記憶された電池モジュールや負荷装置の不正使用を防止することができる。
【００１４】
また、電池モジュールに第１識別情報が記憶されていない場合であっても、電池の電力が負荷に対して供給される。このため、たとえば利用者が正規に購入した、識別情報が未記憶の電池モジュールを、既存の電池モジュールに代えて、負荷装置で使用することができ、電池モジュールや負荷装置の使い勝手を向上させることが可能となる。
【００１５】
さらに、電池モジュールと負荷装置にそれぞれ記憶された識別情報が一致した場合および一致しなかった場合、ならびに、電池モジュールに第１識別情報が記憶されていない場合に応じて、報知手段による報知態様が変化する。このため、利用者は報知態様により、電池モジュールと負荷装置の組み合わせの正当性を認識することができ、さらに使い勝手を向上させることが可能となる。
【００１６】
また、本発明では、識別情報の登録指示を受け付ける登録受け付け部と、パスワードを入力するパスワード入力部と、登録受け付け部で登録指示を受け付け、かつ、パスワード入力部でパスワードが入力された場合に、第２記憶部に記憶された第２識別情報を第１記憶部に書き込む書き込み部と、をさらに備えてもよい。登録受け付け部とパスワード入力部は、電子制御装置に備えてもよい。
【００１７】
また、本発明では、電池モジュールに設けられ、パスワードを記憶する第３の記憶部をさらに備え、書き込み部は、登録受け付け部で登録指示を受け付け、かつ、パスワード入力部でパスワードが入力された場合において、第１記憶部に第１識別情報が未だ記憶されていなければ、第２記憶部に記憶された第２識別情報を第１記憶部に書き込み、かつ、入力されたパスワードを第３記憶部に書き込み、第１記憶部に第１識別情報が既に記憶され、かつ、入力されたパスワードと第３記憶部に記憶されたパスワードが一致すれば、第２記憶部に記憶された第２識別情報を第１記憶部に追加で書き込んでもよい。
【００１８】
上記書き込み部は、電池モジュールに備えてもよい。そして、電池モジュールは、接続された電子制御装置からパスワードとともに、第２記憶部に記憶された第２識別情報を受信した場合に、該識別情報を書き込み部により第１記憶部に書き込めばよい。またその際、第１記憶部に第１識別情報が未だ記憶されていなければ、受信した識別情報を第１記憶部に書き込み、かつ受信したパスワードを第３記憶部に書き込み、第１記憶部に第１識別情報が既に記憶され、かつ、受信したパスワードと第３記憶部に記憶されたパスワードが一致すれば、受信した第２識別情報を第１記憶部に追加で書き込んでもよい。
【００１９】
さらに、本発明では、報知手段は、電池モジュールの安全性または電池の使用認否を報知してもよい。
【発明の効果】
【００２０】
本発明によれば、電池モジュールや負荷装置の不正使用を防止しつつ、使い勝手を向上させることができる。
【図面の簡単な説明】
【００２１】
【図１】本発明の第１実施形態による電池電力制御システムの構成を示した図である。
【図２】図１の識別ＩＤ登録時の電子制御装置の動作を示したフローチャートである。
【図３】図１の識別ＩＤ登録時の電池モジュールの動作を示したフローチャートである。
【図４】図１の負荷始動時の電子制御装置の動作を示したフローチャートである。
【図５】図１の負荷始動時の電池モジュールの動作を示したフローチャートである。
【図６】図１の表示部の表示態様を示した図である。
【図７】本発明の第２実施形態による電池電力制御システムの構成を示した図である。
【図８】図７の負荷始動時の電池モジュールの動作を示したフローチャートである。
【図９】図７の負荷始動時の電子制御装置の動作を示したフローチャートである。
【図１０】本発明の第３実施形態による電池電力制御システムの構成を示した図である。
【図１１】表示部の表示態様の他の例を示した図である。
【発明を実施するための形態】
【００２２】
以下、本発明の実施形態につき、図面を参照しながら説明する。各図において、同一の部分または対応する部分には、同一符号を付してある。
【００２３】
まず、第１実施形態の電池電力制御システム１０１の構成を、図１を参照しながら説明する。
【００２４】
電池電力制御システム１０１は、負荷装置１に実装された電子制御装置１ａと、負荷装置１に対して着脱自在な電池モジュール２とから構成されている。
【００２５】
負荷装置１は、たとえば電気自動二輪車から成る。負荷装置１が有する負荷１ｂは、たとえば走行モータなどから成る。
【００２６】
電子制御装置１ａは、電池モジュール２が有する電池２２の電力の負荷１ｂに対する供給を制御する。電子制御装置１ａには、制御部１１、始動受け付け部１２、パスワード入力部１３、登録受け付け部１４、表示部１５、記憶部１６、および通信部１７が備わっている。
【００２７】
制御部１１は、マイクロコンピュータから成り、ＩＤ読み出し部１１ａ、１１ｂ、比較部１１ｃ、および電力制御部１１ｄを有している。
【００２８】
始動受け付け部１２は、ＩＧ（イグニッション）スイッチと、該スイッチの検知回路などから成る。利用者が始動受け付け部１２を操作することで、負荷１ｂの始動指示が受け付けられる。
【００２９】
パスワード入力部１３は、ハンドル、ブレーキ、クラッチ、スイッチ、およびボタンなどの操作手段と、これらの状態を検知する検知回路などから成る。利用者は、パスワード入力部１３において、自らが決めた所定の操作を行うことにより、パスワードを入力する。
【００３０】
登録受け付け部１４は、スイッチやボタンなどの操作手段と、これらの状態を検知する検知回路などから成る。利用者が登録受け付け部１４を操作することで、電池モジュール２に対する識別ＩＤの登録指示が受け付けられる。識別ＩＤは、負荷装置１と電池モジュール２にそれぞれ付与される。
【００３１】
表示部１５は、液晶ディスプレイやＬＥＤなどから成り、複数の表示態様１５ａ、１５ｂ、１５ｃにより、電池モジュール２の安全性または電池２２の使用認否を表示する。表示部１５は、本発明における「報知手段」の一例であり、表示態様１５ａ、１５ｂ、１５ｃは、本発明における「報知態様」の一例である（後述の図７および図１０においても同様）。
【００３２】
記憶部１６は、メモリから成る。記憶部１６には、負荷装置１の識別ＩＤが記憶される（たとえば、「識別ＩＤ１」）。具体的には、たとえば負荷装置１の出荷時または購入時に、図示しない識別ＩＤ付与装置により負荷装置１の識別ＩＤが記憶部１６に書き込まれる。記憶部１６は、本発明における「第２記憶部」の一例であり、記憶部１６に記憶される識別ＩＤは、本発明における「第２識別情報」の一例である（後述の図７および図１０においても同様）。
【００３３】
通信部１７は、電池モジュール２と通信するための、所定のインタフェイスから成る。
【００３４】
電池モジュール２を負荷装置１に装着することで、電池モジュール２と電子制御装置１ａが電気的に接続され、電池モジュール２の電池２２と負荷装置１の負荷１ｂも電気的に接続される。電池モジュール２には、制御部２１、電池２２、記憶部２３、記憶部２６、通信部２７、および電力切り替え部２８が備わっている。
【００３５】
制御部２１は、マイクロコンピュータから成り、書き込み部２１ｄを有している。電池２２は、複数の電池から構成される組電池であり、図示しない充電器により充電される。
【００３６】
記憶部２３、２６は、それぞれメモリから成る。記憶部２３は、パスワード入力部１３により入力されたパスワードを記憶する。詳しくは、パスワード入力部１３により入力されたパスワードが通信部１７、２７により電子制御装置１ａから電池モジュール２に送信されて、制御部２１の書き込み部２１ｄにより記憶部２３に書き込まれる。記憶部２３は、本発明の「第３記憶部」の一例である（後述の図７および図１０においても同様）。
【００３７】
記憶部２６は、複数の識別ＩＤを記憶できる領域を有している。この記憶部２６の各領域には、使用候補である複数の負荷装置１の識別ＩＤ（たとえば、「識別ＩＤ１」、「識別ＩＤ２」、「識別ＩＤ３」、「識別ＩＤ４」）が記憶される。具体的には、後述する電池モジュール２への識別ＩＤの登録時に、記憶部２６の各領域に識別ＩＤが書き込み部２１ｄにより書き込まれる。記憶部２６は、本発明における「第１記憶部」の一例であり、記憶部２６に記憶される複数の識別ＩＤは、本発明における「第１識別情報」の一例である（後述の図７および図１０においても同様）。
【００３８】
通信部２７は、電子制御装置１ａと通信するための、所定のインタフェイスから成る。
【００３９】
電力切り替え部２８は、スイッチング素子から成り、接続状態にある電池モジュール２の電池２２から負荷装置１の負荷１ｂへの給電ライン上に設けられている。電子制御装置１ａの制御部１１の電力制御部１１ｄは、電池モジュール２の制御部２１を介して、電池２２の電力を負荷１ｂに対して供給または遮断するように、電力切り替え部２８を制御する。
【００４０】
詳しくは、電力切り替え部２８をオンに切り替えることにより、電池２２の電力が負荷１ｂに供給される。また、電力切り替え部２８をオフに切り替えることにより、電池２２の電力が負荷１ｂに対して遮断される。負荷１ｂは、電池２２の電力が供給されることにより駆動する。
【００４１】
電子制御装置１ａの制御部１１のＩＤ読み出し部１１ａは、通信部１７、２７と制御部２１とを介して、電池モジュール２の記憶部２６に記憶された識別ＩＤを読み出す。ＩＤ読み出し部１１ｂは、記憶部１６に記憶された識別ＩＤを読み出す。ＩＤ読み出し部１１ａは、本発明における「第１読み出し部」の一例であり、ＩＤ読み出し部１１ｂは、本発明における「第２読み出し部」の一例である。比較部１１ｃは、ＩＤ読み出し部１１ａ、１１ｂがそれぞれ読み出した識別ＩＤを比較する。
【００４２】
次に、第１実施形態の識別ＩＤ登録時における、電子制御装置１ａと電池モジュール２の動作を、図２および図３を参照しながら説明する。
【００４３】
正規の利用者は、負荷装置１への電池モジュール２の初回装着時に、パスワード入力部１３で利用者が決めた所定の操作（たとえば、ブレーキを３回操作した後、クラッチを１回操作するなど）を行うことで、パスワードを入力する。また、登録受け付け部１４で所定の操作（たとえば、ボタンの押下）を行うことで、電池モジュール２への識別ＩＤの登録を指示する。
【００４４】
これにより、電子制御装置１ａの制御部１１が、パスワードの入力が有り（図２のステップＳ１：ＹＥＳ）、かつ、識別ＩＤの登録指示を受け付けたと判断する（ステップＳ２：ＹＥＳ）。そして、記憶部１６に記憶された負荷装置１の識別ＩＤをＩＤ読み出し部１１ｂにより読み出す（ステップＳ３）。さらに、入力されたパスワードと読み出した識別ＩＤとを、通信部１７により電池モジュール２に送信する（ステップＳ４）。
【００４５】
電池モジュール２の制御部２１は、電子制御装置１ａから送信されたパスワードと識別ＩＤとを通信部２７により受信すると（図３のステップＳ１１：ＹＥＳ）、記憶部２６に識別ＩＤが記憶されているか否かを確認する。
【００４６】
記憶部２６に識別ＩＤが何も記憶されていなければ、制御部２１は、識別ＩＤが未登録であると判断する（ステップＳ１２：ＹＥＳ）。そして、受信した識別ＩＤを書き込み部２１ｄにより記憶部２６に書き込む（ステップＳ１３）。これにより、負荷装置１の電子制御装置１ａに記憶された識別ＩＤと同一の識別ＩＤが、電池モジュール２の記憶部２６に登録された状態となる。
【００４７】
また、制御部２１は、受信したパスワードを書き込み部２１ｄにより記憶部２３に書き込む（ステップＳ１４）。これにより、負荷装置１の電子制御装置１ａのパスワード入力部１３に入力されたパスワードが、電池モジュール２の記憶部２３に登録された状態となる。
【００４８】
一方、電池モジュール２の記憶部２６に既に識別ＩＤが記憶されていれば、制御部２１は、識別ＩＤが未登録でないと判断する（ステップＳ１２：ＮＯ）。そして、受信したパスワードと、記憶部２３に登録されたパスワードとを比較する（ステップＳ１５）。
【００４９】
比較の結果、パスワードが一致すれば（ステップＳ１６：ＹＥＳ）、受信した識別ＩＤを書き込み部２１ｄが記憶部２６に追加で書き込む（ステップＳ１７）。これにより、負荷装置１の電子制御装置１ａに記憶された識別ＩＤと同一の識別ＩＤが、電池モジュール２の記憶部２６に追加で登録された状態となる。つまり、記憶部２６に複数の識別ＩＤが記憶される。
【００５０】
他方、受信したパスワードと登録されたパスワードが一致しなければ（ステップＳ１６：ＮＯ）、識別ＩＤやパスワードの登録は行われない。
【００５１】
次に、第１実施形態の負荷１ｂの始動時における、電子制御装置１ａと電池モジュール２の動作を、図４〜図６を参照しながら説明する。
【００５２】
電池モジュール２が負荷装置１に装着されて、電池モジュール２と電子制御装置１ａが電気的に接続され、かつ、電池２２と負荷１ｂが電気的に接続された状態で、たとえば利用者がＩＧスイッチをオン状態に操作する。すると、電子制御装置１ａの制御部１１は、始動受け付け部１２により負荷１ｂの始動指示を受け付けたと判断する（図４のステップＳ２１：ＹＥＳ）。そして、記憶部１６に記憶された負荷装置１の識別ＩＤを、ＩＤ読み出し部１１ｂにより読み出す（ステップＳ２２）。
【００５３】
また、電池モジュール２の記憶部２６に記憶された識別ＩＤを、ＩＤ読み出し部１１ａにより読み出す（ステップＳ２３）。詳しくは、ＩＤ読み出し部１１ａからの読み出し要求に応じて、電池モジュール２の制御部２１が記憶部２６から識別ＩＤを読み出して、通信部２７により電子制御装置１ａに送信する。
【００５４】
このとき、記憶部２６に複数の識別ＩＤが記憶されている場合は、たとえば、全ての識別ＩＤを記憶部２６から読み出して、電子制御装置１ａに送信する。また、記憶部２６に識別ＩＤが記憶されていない場合は、たとえば、制御部２１から制御部１１に、識別ＩＤが記憶部２６に記憶されていない旨が通知される。
【００５５】
電池モジュール２の記憶部２６に識別ＩＤが記憶されていなければ、電子制御装置１ａの制御部１１は、識別ＩＤが未登録であると判断する（ステップＳ２４：ＹＥＳ）。そして、表示部１５の表示態様１５ｂにより、電池モジュール２にセキュリティが無いことを表示する（ステップＳ２５）。このとき、図６（ｂ）に示すように、表示態様１５ｂの丸印と「セキュリティ無し」の文字を黄色に点灯させ、他の表示態様１５ａ、１５ｃを消灯させる。図６は、表示部１５の表示態様１５ａ〜１５ｃを、交通信号機のように構成した例を示している。
【００５６】
一方、電池モジュール２の記憶部２６に識別ＩＤが記憶されていれば、制御部１１は、識別ＩＤが未登録でないと判断する（図４のステップＳ２４：ＮＯ）。そして、ＩＤ読み出し部１１ｂにより読み出した負荷装置１の識別ＩＤと、ＩＤ読み出し部１１ａにより読み出した電池モジュール２の識別ＩＤとを、比較部１１ｃにより比較する（ステップＳ２６）。
【００５７】
比較の結果、負荷装置１の識別ＩＤが電池モジュール２のいずれかの識別ＩＤと一致すると（ステップＳ２７：ＹＥＳ）、制御部１１は、表示部１５の表示態様１５ａにより、電池モジュール２にセキュリティが有ることを表示する（ステップＳ２８）。このとき、図６（ａ）に示すように、表示態様１５ａの丸印と「セキュリティ有り」の文字を青色に点灯させ、他の表示態様１５ｂ、１５ｃを消灯させる。
【００５８】
図４のステップＳ２５またはＳ２８での表示の後、制御部１１の電力制御部１１ｄは、電力供給許可信号を通信部１７により電池モジュール２に送信する（ステップＳ２９）。
【００５９】
電池モジュール２の制御部２１は、この電力供給許可信号を通信部２７により受信すると（図５のステップＳ３０：ＹＥＳ）、電力切り替え部２８をオン（ＯＮ）状態に切り替えて、電池２２の電力を負荷１ｂに対して供給する（ステップＳ３１）。これにより、電子制御装置１ａの制御部１１が、電池２２の電力で負荷１ｂを始動する（図４のステップＳ３２）。
【００６０】
一方、ステップＳ２６での比較の結果、負荷装置１の識別ＩＤが電池モジュール２のいずれの識別ＩＤとも一致しなければ（ステップＳ２７：ＮＯ）、制御部１１は、表示部１５の表示態様１５ｃにより、電池モジュール２の電池２２の使用不可を表示する（ステップＳ３３）。このとき、図６（ｃ）に示すように、表示態様１５ｃの丸印と「電池使用不可」の文字を赤色に点灯させ、他の表示態様１５ａ、１５ｂを消灯させる。
【００６１】
そして、制御部１１の電力制御部１１ｄは、電力供給禁止信号を通信部１７により電池モジュール２に送信する（ステップＳ３４）。電池モジュール２の制御部２１は、この電力供給禁止信号を通信部２７により受信すると（図５のステップＳ３５：ＹＥＳ）、電力切り替え部２８をオフ状態に切り替えて、電池２２の電力を負荷１ｂに対して遮断する（ステップＳ３６）。これにより、制御部１１が、負荷１ｂを停止したままにする（図４のステップＳ３７）。
【００６２】
上記第１実施形態によると、電池モジュール２を負荷装置１に装着して、負荷１ｂを始動する際に、負荷装置１に実装された電子制御装置１ａと電池モジュール２のそれぞれに記憶された識別ＩＤが比較される。この比較の結果、識別ＩＤが一致した場合に、電池モジュール２の電池２２の電力が負荷１ｂに対して供給され、識別ＩＤが一致しなかった場合に、電池２２の電力が負荷１ｂに対して遮断される。このため、たとえば盗難されて、一致しない識別ＩＤがそれぞれ記憶された電池モジュール２や負荷装置１の不正使用を防止することができる。
【００６３】
また、電池モジュール２の記憶部２６に識別ＩＤが記憶されていない場合であっても、セキュリティ無しを表示したうえで、電池２２の電力が負荷１ｂに対して供給される。このため、たとえば利用者が正規に購入した、識別ＩＤが未記憶の電池モジュール２を、既存の電池モジュール２に代えて、負荷装置１で使用することができる。よって、電池モジュール２や負荷装置１の使い勝手を向上させることが可能となる。
【００６４】
また、電池モジュール２と負荷装置１にそれぞれ記憶された識別情報が一致した場合および一致しなかった場合、ならびに、電池モジュール２に識別ＩＤが記憶されていない場合に応じて、表示部１５の表示態様１５ａ〜１５ｃが変化する。このため、利用者は表示部１５の表示態様１５ａ〜１５ｃにより、電池モジュール２と負荷装置１の組み合わせの正当性を認識することができる。また、表示態様１５ａ〜１５ｃにより、電池モジュール２の安全性や電池２２の使用認否を認識することができる。よって、電池モジュール２や負荷装置１の使い勝手をより向上させることが可能となる。
【００６５】
また、電子制御装置１ａの登録受け付け部１４で登録指示を受け付け、かつ、パスワード入力部１３でパスワードが入力された場合に、記憶部１６に記憶された識別ＩＤを、電池モジュール２の記憶部２６に書き込んでいる。このため、電子制御装置１ａから電池モジュール２に対して、識別ＩＤを安全に付与することができる。
【００６６】
また、電池モジュール２の記憶部２６に識別ＩＤが既に記憶され、かつ、入力されたパスワードと記憶部２３に記憶されたパスワードが一致した場合に、電子制御装置１ａの記憶部１６に記憶された識別ＩＤ情報を、記憶部２６に追加で書き込んでいる。このため、電子制御装置１ａから電池モジュール２に対して、複数の識別ＩＤを安全に付与することができる。
【００６７】
さらに、電池モジュール２の記憶部２６に複数の識別ＩＤが記憶されると、電池モジュール２や負荷装置１を複数所有して、任意の組み合わせで使用することができる。たとえば、電池モジュール２を複数所有し、負荷装置１で電池モジュール２の電池２２の電力を消費する度に、電池モジュール２を交換することができる。また、１つの電池モジュール２を複数の負荷装置１で使い回すこともできる。
【００６８】
次に、第２実施形態の電池電力制御システム１０２の構成を、図７を参照しながら説明する。
【００６９】
電池電力制御システム１０２では、電子制御装置１ａの制御部１１’ではなく、電池モジュール２の制御部２１’に、ＩＤ読み出し部２１ａ、２１ｂ、比較部２１ｃ、および表示制御部２１ｆが備わっている。
【００７０】
ＩＤ読み出し部２１ａは、記憶部２６に記憶された識別ＩＤを読み出す。ＩＤ読み出し部２１ｂは、通信部２７、１７と制御部１１’とを介して電子制御装置１ａの記憶部１６に記憶された識別ＩＤを読み出す。ＩＤ読み出し部２１ａは、本発明における「第１読み出し部」の一例であり、ＩＤ読み出し部２１ｂは、本発明における「第２読み出し部」の一例である。
【００７１】
比較部２１ｃは、ＩＤ読み出し部２１ａ、２１ｂがそれぞれ読み出した識別ＩＤを比較する。表示制御部２１ｆは、電子制御装置１ａに対して表示信号を送信して、表示部１５の表示態様１５ａ〜１５ｃを制御する。表示制御部２１ｆは、本発明における「報知制御部」の一例である。
【００７２】
次に、第２実施形態の負荷１ｂの始動時における、電子制御装置１ａと電池モジュール２の動作を、図８および図９を参照しながら説明する。なお、識別ＩＤ登録時の動作については、第１実施形態の場合（図２、図３）と基本的に同じであるので、説明を省略する。
【００７３】
電池モジュール２が負荷装置１に装着されて、電池モジュール２と電子制御装置１ａが電気的に接続され、かつ、電池２２と負荷１ｂが電気的に接続された状態で、たとえば利用者がＩＧスイッチをオン状態に操作する。これにより、電子制御装置１ａの始動受け付け部１２で負荷１ｂの始動指示を受け付けた旨が、制御部１１’から通信部１７、２７を介して、電池モジュール２の制御部２１’に通知される（図８のステップＳ４１：ＹＥＳ）。
【００７４】
すると、制御部２１’は、電子制御装置１ａの記憶部１６に記憶された負荷装置１の識別ＩＤを、ＩＤ読み出し部２１ｂにより読み出す（ステップＳ４２）。詳しくは、ＩＤ読み出し部２１ｂからの読み出し要求に応じて、電子制御装置１ａの制御部１１’が記憶部１６から識別ＩＤを読み出して、通信部１７により電池モジュール２に送信する。
【００７５】
また、電池モジュール２の制御部２１’は、記憶部２６に記憶された識別ＩＤを、ＩＤ読み出し部２１ａにより読み出す（ステップＳ４３）。このとき、記憶部２６に識別ＩＤが記憶されていなければ、制御部２１’は、識別ＩＤが未登録であると判断する（ステップＳ４４：ＹＥＳ）。すると、表示制御部２１ｆが、セキュリティ無し表示信号を通信部２７により電子制御装置１ａに送信する（ステップＳ４５）。
【００７６】
電子制御装置１ａの制御部１１’は、このセキュリティ無し表示信号を通信部１７により受信すると（図９のステップＳ４６：ＹＥＳ）、表示部１５の表示態様１５ｂにより、図６（ｂ）に示すように、電池モジュール２にセキュリティが無いことを表示する（ステップＳ４７）。
【００７７】
一方、電池モジュール２の記憶部２６に識別ＩＤが記憶されていれば、制御部２１’は、識別ＩＤが未登録でないと判断する（図８のステップＳ４４：ＮＯ）。そして、ＩＤ読み出し部２１ｂにより読み出した負荷装置１の識別ＩＤと、ＩＤ読み出し部２１ａにより読み出した電池モジュール２の識別ＩＤとを、比較部２１ｃにより比較する（ステップＳ４８）。
【００７８】
比較の結果、負荷装置１の識別ＩＤが電池モジュール２のいずれかの識別ＩＤと一致すると（ステップＳ４９：ＹＥＳ）、表示制御部２１ｆが、セキュリティ有り表示信号を通信部２７により電子制御装置１ａに送信する（ステップＳ５０）。
【００７９】
電子制御装置１ａの制御部１１’は、このセキュリティ有り表示信号を通信部１７により受信すると（図９のステップＳ５１：ＹＥＳ）、表示部１５の表示態様１５ａにより、図６（ａ）に示すように、電池モジュール２にセキュリティが有ることを表示する（ステップＳ５２）。
【００８０】
図８のステップＳ４５またはＳ５０での表示の後、電池モジュール２の制御部２１’は、電力切り替え部２８をオン状態に切り替えて、電池２２の電力を負荷１ｂに対して供給する（ステップＳ５３）。これにより、電子制御装置１ａの制御部１１’が、電池２２の電力で負荷１ｂを始動する（図９のステップＳ５４）。
【００８１】
一方、図８のステップＳ４８での比較の結果、負荷装置１の識別ＩＤが電池モジュール２のいずれの識別ＩＤとも一致しなければ（ステップＳ４９：ＮＯ）、電池モジュール２の表示制御部２１ｆが、電池使用不可表示信号を通信部２７により電子制御装置１ａに送信する（ステップＳ５５）。
【００８２】
電子制御装置１ａの制御部１１’は、この電池使用不可表示信号を通信部１７により受信すると（図９のステップＳ５６：ＹＥＳ）、表示部１５の表示態様１５ｃにより、図６（ｃ）に示すように、電池モジュール２の電池２２の使用不可を表示する（ステップＳ５７）。
【００８３】
また、図８のステップＳ５５の実行後、電池モジュール２の制御部２１’は、電力切り替え部２８をオフ状態に切り替えて、電池２２の電力を負荷１ｂに対して遮断する（ステップＳ５８）。これにより、電子制御装置１ａの制御部１１’が、負荷１ｂを停止したままにする（図９のステップＳ５９）。
【００８４】
上記第２実施形態によると、たとえば盗難されて、一致しない識別ＩＤがそれぞれ記憶された電池モジュール２や負荷装置１の不正使用を防止することができる。また、たとえば利用者が正規に購入した、識別ＩＤが未記憶の電池モジュール２を、既存の電池モジュール２に代えて、負荷装置１で使用することができる。よって、電池モジュール２や負荷装置１の使い勝手を向上させることが可能となる。
【００８５】
また、表示部１５の表示態様１５ａ〜１５ｃにより、電池モジュール２と負荷装置１の組み合わせの正当性や、電池モジュール２の安全性や、電池２２の使用認否を認識することができる。よって、電池モジュール２や負荷装置１の使い勝手をより向上させることが可能となる。
【００８６】
さらに、電池モジュール２の記憶部２６に複数の識別ＩＤが記憶されることで、電池モジュール２や負荷装置１を複数所有して、任意の組み合わせで使用することができる。
【００８７】
本発明は、上述した以外にも種々の実施形態を採用することができる。たとえば、以上の実施形態では、電池モジュール２に電力切り替え部２８を設けた例を示したが、本発明はこれのみに限定するものではない。これ以外に、たとえば、図１０の第３実施形態に示す電池電力制御システム１０３のように、負荷装置１に電力切り替え部１ｃを設けてもよい。この場合、電子制御装置１ａの制御部１１”が、電力切り替え部１ｃをオン状態に切り替えることで、電池２２の電力が負荷１ｂに供給され、電力切り替え部１ｃをオフ状態に切り替えることで、電池２２の電力が負荷１ｂに対して遮断される。他の例として、電力切り替え部を電子制御装置１ａに設けてもよい。
【００８８】
また、図６の実施形態では、表示部１５の表示態様１５ａ、１５ｂ、１５ｃを交通信号機のように構成した例を示したが、本発明はこれのみに限定するものではない。これ以外に、たとえば、図１１に示すような表示態様１５ａ’、１５ｂ’、１５ｃ’を採用してもよい。この場合、表示部１５は、たとえば液晶ディスプレイから構成されている。表示態様１５ａ’、１５ｂ’、１５ｃ’は、電池マーク、ならびに、電池モジュール２の電池２２のセキュリティレベルおよび使用可否を示す文字とから構成されている。
【００８９】
そして、負荷１ｂの始動時に、電池モジュール２の記憶部２６に識別ＩＤが記憶されていない（未登録である）場合は（図４のステップＳ２４：ＹＥＳ、図８のステップＳ４４：ＹＥＳ）、図１１（ｂ）に示す表示態様１５ｂ’を表示部１５に表示させる。この表示態様１５ｂ’では、電池マークの矢印により、電池２２が電流供給状態にあることを示していて、電池２２のセキュリティレベルが中程度であることと、電池２２が使用可能であることを文字で示している。
【００９０】
また、電池モジュール２の記憶部２６に記憶された識別ＩＤと、電子制御装置１ａの記憶部１６に記憶された識別ＩＤとが一致した場合は（図４のステップＳ２７：ＹＥＳ、図８のステップＳ４９：ＹＥＳ）、図１１（ａ）に示す表示態様１５ａ’を表示部１５に表示させる。この表示態様１５ａ’では、電池マークの矢印により、電池２２が電流供給状態にあることを示していて、電池２２のセキュリティレベルが高いことと、電池２２が使用可能であることを文字で示している。
【００９１】
さらに、電池モジュール２の記憶部２６に記憶された識別ＩＤと、電子制御装置１ａの記憶部１６に記憶された識別ＩＤとが一致しなかった場合は（図４のステップＳ２７：ＮＯ、図８のステップＳ４９：ＮＯ）、図１１（ｃ）に示す表示態様１５ｃ’を表示部１５に表示させる。この表示態様１５ｃ’では、電池マークの×印付き矢印により、電池２２が電流遮断状態にあることを示していて、電池２２のセキュリティレベルが低いことと、電池２２が使用不可であることを文字で示している。
【００９２】
上記のような、表示部１５を用いたマークや文字による報知以外に、たとえば、報知手段としてスピーカを用い、音や音声による複数の報知態様で、電池モジュール２の安全性または電池２２の使用認否を報知してもよい。
【００９３】
また、以上の実施形態では、表示部１５を電子制御装置１ａに設けた例を示したが、本発明はこれのみに限定するものではない。これ以外に、表示部１５を負荷装置１または電池モジュール２に設けてもよい。
【００９４】
また、以上の実施形態では、登録受け付け部１４やパスワード入力部１３を電子制御装置１ａに設けた例を示したが、本発明はこれのみに限定するものではない。これ以外に、登録受け付け部１４やパスワード入力部１３を負荷装置１または電池モジュール２に設けてもよい。
【００９５】
また、以上の実施形態では、電池モジュール２の記憶部２６に識別ＩＤが記憶されていない場合に、表示部１５の表示態様１５ｂ、１５ｂ’により電池モジュール２の安全性や使用認否を報知した例を示したが、本発明はこれのみに限定するものではない。これ以外に、電子制御装置１ａの記憶部１６に負荷装置１の識別ＩＤが記憶されていない場合にも、たとえば表示部１５の表示態様を変化させて、表示態様１５ｂ、１５ｂ’により電池モジュール２の安全性や使用認否を報知してもよい。
【００９６】
さらに、以上の実施形態では、電気自動二輪車から成る負荷装置１に実装された電子制御装置１ａと、負荷装置１に対して着脱自在な電池モジュール２と、これらから成る電池電力制御システム１０１〜１０３に、本発明を適用した例を挙げが、これに限るものではない。これ以外の車両用や電子機器用などの電子制御装置および電池モジュールと、これらから構成される電池電力制御システムに対しても、本発明を適用することは可能である。
【符号の説明】
【００９７】
１  負荷装置
１ａ  電子制御装置
１ｂ  負荷
１ｃ、２８  電力切り替え部
２  電池モジュール
１１ａ、２１ａ  ＩＤ読み出し部
１１ｂ、２１ｂ  ＩＤ読み出し部
１１ｃ、２１ｃ  比較部
１１ｄ  電力制御部
１２  始動受け付け部
１３  パスワード入力部
１４  登録受け付け部
１５  表示部
１５ａ、１５ｂ、１５ｃ、１５ａ’、１５ｂ’、１５ｃ’  表示態様
１６  記憶部
２１ｄ  書き込み部
２１ｆ  表示制御部
２２  電池
２３  記憶部
２６  記憶部
１０１、１０２、１０３  電池電力制御システム
【図１】
2014082135.tif 000003
【図２】
2014082135.tif 000004
【図３】
2014082135.tif 000005
【図４】
2014082135.tif 000006
【図５】
2014082135.tif 000007
【図６】
2014082135.tif 000008
【図７】
2014082135.tif 000009
【図８】
2014082135.tif 000010
【図９】
2014082135.tif 000011
【図１０】
2014082135.tif 000012
【図１１】
2014082135.tif 000013